(57)【要約】【課題】外部からの冷気を効率よく防ぐとともに外観に優れ、製造原価が安価な窓装置を提供する。【解決手段】窓枠体１を構成する下枠１ａと、上枠１ｂと、右竪枠１ｃと、左竪枠１ｄと、ガラス戸５を備えた窓装置において、下枠１ａの室内Ｒ側に下枠１ａと略同一長さの空間部６を形成し、この空間部６内に熱源８を設けるとともに、空間部６の水平面１ａ２または、垂直面１ａ１に熱源８で加熱された空気が室内Ｒ側のガラス戸５に沿って排出される通気口７を設ける。【選択図】　図３
2004100404.tif 000002
【特許請求の範囲】
【請求項１】
窓枠体（１）を構成する下枠（１ａ）と、上枠（１ｂ）と、右竪枠（１ｃ）と、左竪枠（１ｄ）と、ガラス戸（５）を備えた窓装置において、下枠（１ａ）の室内（Ｒ）側の垂直面（１ａ１）と、この垂直面（１ａ１）と相対する垂直面Ｖ（１ａ３）及び室内（Ｒ）側へ延びた水平面（１ａ２）とにより下枠（１ａ）と略同一長さの空間部（６）を形成し、この空間部（６）内に熱源（８）を設けるとともに、空間部（６）の水平面（１ａ２）または、垂直面（１ａ１）に熱源（８）で加熱された空気が室内（Ｒ）側のガラス戸（５）に沿って排出される通気口（７）を設けたことを特徴とするヒータ付き窓装置。
【発明の詳細な説明】
【０００１】
【発明の属する技術分野】
本発明は、加熱用ヒータをサッシに一体に組み込んだ窓装置に関するものである。
【０００２】
【従来の技術】
従来、部屋の暖房効率を高める手段として図５に示すように、窓から入る冷気を止めるため、窓枠体２３の下枠２４の室内側面下方に、取付基板２５と被覆板２６から成る収納部２７を一体に固定すると共に、該収納部２７は室内側面部に空気導入孔２８と上側面部に空気吹出孔２９を形成し、該収納部２７の略中央に電気暖房器Ｈを備えたものであった。（例えば、特開平５−３４６０８８号公報参照）
【０００３】
【発明が解決しようとする課題】
上記、特開平５−３４６０８８号公報の技術にあっては、窓から冷気を遮断する電気暖房器Ｈが収納されている収納部が室内に位置付けられているため、収納部が設置されているところでは家具などを押し付けて置くことができず、家具などが収まり悪くなったり、場合によっては設置できないという問題があった。
【０００４】
また、構造的も電気暖房器を固定するための取付基板や被覆板、或いは空気導入孔や空気吹出孔などを必要とするため構造が複雑になり製造原価が高くなるという問題があった。
【０００５】
【課題を解決するための手段】
上記の課題を解決するために本発明は、窓枠体を構成する下枠と、上枠と、右竪枠と、左竪枠と、ガラス戸を備えた窓装置において、下枠の室内側の垂直面と、この垂直面と相対する垂直面Ｖ及び室内側へ延びた水平面とにより下枠と略同一長さの空間部を形成し、この空間部内に熱源を設けるとともに、空間部の水平面または、垂直面に熱源で加熱された空気が室内側のガラス戸に沿って排出される通気口を設けたものである。
【０００６】
【発明の実施の形態】
本発明の一実施例について図面を用いて説明する。
【０００７】
図１は、本発明の一実施例における引き違い窓サッシである窓装置の外観正面図で、１は下枠１ａ、上枠１ｂそして右竪枠１ｃと左竪枠１ｄから構成されている窓枠体である。これら窓枠体１の材質はスチール材やアルミ材が多く使用されるがさびに強く、加工もしやすく、軽量なアルミ材が主流になっている。
【０００８】
８は加熱用の熱源で、後述するように下枠１ａ部に設けている。この熱源８は、本発明ではシーズヒータを使用したが、ＰＴＣヒータでも使用可能である。また、この熱源８は、窓枠体１の略幅寸法の長さとなっている。尚、窓枠体１の大きさや設置条件により、熱源８は１本で幅方向の長さを形成したり、複数に分割して形成する場合がある。
【０００９】
９は、室温を検知するセンサである。１０は熱源８の電源である。１１はセンサ９からの情報により熱源８の動作を制御する制御部である。
【００１０】
図２は図１におけるＡ−Ａ部の断面図で、３は下枠１ａの一部から突出したローラレールで、室内Ｒ側のローラレール３ａと外側のローラレール３ｂで構成されている。４は上枠１ｂの一部から突出したレールである。
【００１１】
５はガラス戸で次の部材から構成されている。５ａ１は板状のガラスである。５ａ２は前記ガラス５ａ１を下部で支持する下支持具である。この下支持具５ａ２にはローラ５ａ４が内蔵されている。５ａ３は上部で前記ガラス５ａ１を支持する上支持具である。このガラス戸５は、上部は窓枠体１の上枠１ｂから突出したレール４に嵌め込まれ、下部は下枠１ａから突出したローラレール３ａ、３ｂに嵌め込まれ、移動自在となっている。５ｂは雨戸である。この雨戸５ｂは建物によっては設置されない場合もある。１２は地板で下枠１ａの一部を支えているものである。
【００１２】
図３は図２におけるＢ部の拡大図で、１ａ１は下枠１ａの一部で、ローラレール３ａと相対している垂直面である。１ａ２は垂直面１ａ１と直角で室内Ｒ側に突き出した水平面である。１ａ３は水平面１ａ２と直角で、垂直面１ａ１と相対している垂直面Ｖである。１ａ４は垂直面Ｖ１ａ３と直角で水平面１ａ２と相対している水平面Ｈである。これら４面は室内Ｒ側に位置し、その長さは下枠１ａの横長寸法とほぼ同じ値になっている。
【００１３】
６は空間部で、前記垂直面１ａ１、水平面１ａ２、垂直面Ｖ１ａ３又は、これらと水平面Ｈ１ａ４からなり、長方形の空間を構成している。尚、この空間部６の両端部はカバー（図示せず）で覆われている。この空間部６に前記熱源８が設置される。
【００１４】
７は通気口で、空間部６から室内Ｒへ熱源８で温めた空気の排出を行なうため設けられたものである。この通気口７は温めた空気をスムーズに排出できるよう図３のように下枠１ａの一部である水平面１ａ２に設ける場合や、あるいは、空気の流れは悪くなるがごみなどが直接入らないように図４で示すように垂直面１ａ１に設けられる。このように通気口７は窓装置の環境により設置場所が変更可能となっている。
【００１５】
次に、上記構成からなる本実施例の作用について説明する。
【００１６】
ガラス戸５付近に設置されているセンサ９が設定温度以下になると制御部１１の指示で、熱源８が動作する。熱源８の熱は空間部６内の空気を加熱し、加熱された空気は通気口７から支持具５ａ３を沿い、室内Ｒ側のガラス５ａ１に沿って上方に流れて行く。この時温まった空気はガラス５ａ１面を温める。
【００１７】
従って、外部からの冷気は温まった空気により遮断され、部屋側には冷輻射が発生しない。このため、エアコンや石油ファンヒータなどによる暖房機器の暖房効率が高まり、快適な環境を作り出すと共に、省エネ効果も生じる。
【００１８】
また、本発明はファンを使用していないため、静かな環境をかもし出すことが可能となる。
【００１９】
このように下枠１ａの室内Ｒ側に空間部６を設け、この中に熱源８を設けることにより、設定温度以下になると熱源８が動作し、これにより加熱された空気が通気口７から噴出し、自然対流により室内Ｒ側のガラス５ａ１面に沿って上昇する。このとき温まった空気はガラス５ａ１面を温めることにより外部からの冷気を遮断し、部屋の暖房効率を高める。
【００２０】
【発明の効果】
以上本発明によれば、窓枠体を構成する下枠と、上枠と、右竪枠と、左竪枠と、ガラス戸を備えた窓装置において、下枠の室内側の垂直面と、この垂直面と相対する垂直面Ｖ及び室内側へ延びた水平面とにより下枠と略同一長さの空間部を形成し、この空間部内に熱源を設けるとともに、空間部の水平面または、垂直面に熱源で加熱された空気が室内側のガラス戸に沿って排出される通気口を設けたことにより、外部からの冷気は温まった空気により遮断され、部屋側には冷輻射が発生しない。このため、エアコンや石油ファンヒータなどによる暖房機器の暖房効率が高まり、快適な環境を作り出すと共に、省エネ効果も生じる。
【００２１】
また、熱源が窓枠体に組み込まれているため外観的に凹凸が無くすっきりとしている。
【００２２】
また、本発明はファンを使用していないため、静かな環境をかもし出すことが可能となる。
【００２３】
さらに、窓装置の施工面においてもヒータと窓装置が一体化しているため、工程が少なくなりコスト削減になるなどの効果がある。
【図面の簡単な説明】
【図１】本発明の一実施例における窓装置の外観正面図である。
【図２】本発明の一実施例における図１のＡ−Ａ部断面図である。
【図３】本発明の一実施例における図２のＢ部拡大図である。
【図４】本発明の一実施例における空間部における通気口の設置例の図である。
【図５】従来における窓装置の断面図である。
【符号の説明】
１・・・・窓枠体
１ａ・・・下枠
１ａ１・・垂直面
１ａ２・・水平面
１ａ３・・垂直面Ｖ
１ａ４・・水平面Ｈ
３ａ・・・ローラレール
５・・・・ガラス戸
６・・・・空間部
７・・・・通気口
８・・・・熱源
【図１】
2004100404.tif 000003
【図２】
2004100404.tif 000004
【図３】
2004100404.tif 000005
【図４】
2004100404.tif 000006
【図５】
2004100404.tif 000007